(57)【特許請求の範囲】
【請求項１】
台座を含み、前記台座の中には大型スライド空間が設置され、前記大型スライド空間の中には大型スライダがスライドできるように設置され、前記台座の左右両側にはいずれも収納溝が形成され、前記収納溝の中には収納ブロックがヒンジで連結され、前記収納ブロックが前記収納溝の片側壁とヒンジで連結され、二つの前記収納ブロックにおいて互いに離れた側面にはいずれも駆動輪が回転できるように設置され、前記駆動輪が前後対称的に設置され、対称的に設置された二つの前記駆動輪が回転軸によって固定的に連結され、前記大型スライダの中には伝動空間が設置され、前記伝動空間の中には前記駆動輪の回転に動力を提供できる伝動機構が設置され、前記台座の頂面には支持柱が固定的に設置され、前記支持柱の左右両側にはいずれも汚れを落とせる掃除機構が設置され、前記掃除機構は回転できるように設置されたワイヤブラシを含み、前記ワイヤブラシが煙突内壁と接触し、そして擦り作業を行って煙突についた灰塵を清掃でき、前記支持柱の頂面には動力箱が固定的に設置され、前記動力箱の左右両端にはいずれも固定カバーが固定的に設置され、前記固定カバーの中にはスライダがスライドできるように設置され、二つの前記スライダにおいて互いに離れた一端にはローラが回転できるように設置され、前記ローラの外周には歯が設置され、前記動力箱の頂端には切断機構が設置され、前記切断機構が灰塵による塊を切断できることを特徴とする煙突内壁専用の灰塵処理装置。
【請求項２】
前記切断機構は回転できるように設置された旋転板を含み、前記旋転板の左右両端には刃ヘッドがスライドできるように設置され、前記刃ヘッドと前記旋転板とが弾力ばねで連結されていることを特徴とする請求項１に記載の煙突内壁専用の灰塵処理装置。
【請求項３】
前記動力箱の中には動力モータが固定的に嵌め込まれ、前記動力モータの頂端は前記旋転板と動力が伝達できるように連結され、前記スライダと前記動力箱との間には第一ばねが装着され、そうすると前記ローラが煙突内壁に当接できることを特徴とする請求項２に記載の煙突内壁専用の灰塵処理装置。
【請求項４】
前記動力箱の底端には矩形カバーが固定的に設置され、前記矩形カバーの中にはスライド空間が設置され、前記スライド空間の中にはスライド板がスライドできるように設置され、前記スライド空間の頂壁の中には収納モータが固定的に嵌め込まれ、前記収納モータの底端にはネジロッド軸が回転できるように設置され、前記ネジロッド軸と前記スライド板とがネジ山で連結され、前記スライド板の中には矩形スライドカバーが固定的に設置され、前記矩形スライドカバーが前記支持柱とスライドできるように連結されていることを特徴とする請求項３に記載の煙突内壁専用の灰塵処理装置。
【請求項５】
前記支持柱の左右両側には長矩形ブロックが設置され、前記長矩形ブロックの中には掃除スプラインスリーブが回転できるように設置され、前記支持柱の中には矩形空間が設置され、前記矩形空間の左右両側の内壁にはいずれも掃除軸が回転できるように設置され、二つの前記掃除軸において互いに近接した一端には第一傘歯車が固定的に設置され、前記動力モータの底端には下方に伸びた動力軸が動力が伝達できるように連結され、前記動力軸の底部延伸部分が前記矩形空間を貫通し、且つ前記動力軸の底部延伸部分には第二傘歯車が固定的に設置され、前記第二傘歯車が前記第一傘歯車と噛み合い、前記ワイヤブラシの一端が前記掃除スプラインスリーブの中に挿入され、また、前記ワイヤブラシと前記掃除スプラインスリーブとがスライドできるように連結され、前記ワイヤブラシと前記掃除スプラインスリーブとの間には伸縮ばねが装着され、前記矩形スライドカバーと前記長矩形ブロックとがコンロッドによって連結されていることを特徴とする請求項４に記載の煙突内壁専用の灰塵処理装置。
【請求項６】
前記大型スライダの底端と前記大型スライド空間の底壁との間には二つの圧力ばねが装着され、前記大型スライド空間の左右両側は開口しており、前記伝動空間の頂壁の中には上下に伸びた伝動スプライン軸が回転できるように設置され、前記伝動スプライン軸の頂部延伸部分が前記動力軸の中に伸び、且つ前記動力軸とスプラインで連結され、前記伝動スプライン軸の底端には前記伝動空間の中に位置する第三傘歯車が固定的に設置されていることを特徴とする請求項５に記載の煙突内壁専用の灰塵処理装置。
【請求項７】
前記伝動空間の中には左右に伸びた横向きスプラインスリーブが回転できるように設置され、前記横向きスプラインスリーブの外周には第四傘歯車が固定的に設置され、前記第四傘歯車が前記第三傘歯車と噛み合い、前記回転軸の外周には従動傘歯車が固定的に設置され、前記横向きスプラインスリーブの左右両端にはいずれも従動スプラインがスプラインで連結され、二つの前記従動スプラインにおいて互いに離れた一端にはいずれも伝動傘歯車が固定的に設置され、前記伝動傘歯車が前記従動傘歯車と噛み合っていることを特徴とする請求項６に記載の煙突内壁専用の灰塵処理装置。
【発明の詳細な説明】
【技術分野】
【０００１】
本願発明は灰塵処理技術分野を取り上げて、具体的には煙突内壁専用の灰塵処理装置である。
【背景技術】
【０００２】
工場で製品を生産する時、多くのプロセスには焼却炉などの高温設備を使用する必要がある。高温設備の使用にはさらに燃料を使用して燃焼作業を行う必要がある。燃料が燃えると大量の煙が発生し、煙突に堆積する。もしタイムリーに処理しないと煙突の塞ぎを招きやすい。従来の清掃方法は一般的に手動または簡単な機械で清掃作業を行い、清掃が面倒で、時間も精力も大変かかる。
【先行技術文献】
【特許文献】
【０００３】
【特許文献１】中国特許出願公開第１０７６７６８０３号明細書
【発明の概要】
【発明が解決しようとする課題】
【０００４】
本発明は煙突内壁専用の灰塵処理装置を提供し、従来技術における上記欠点を解消することを目的とする。
【課題を解決するための手段】
【０００５】
本願発明の実施例の煙突内壁専用の灰塵処理装置は、台座を含み、前記台座の中には大型スライド空間が設置され、前記大型スライド空間の中には大型スライダがスライドできるように設置され、前記台座の左右両側にはいずれも収納溝が形成され、前記収納溝の中には収納ブロックがヒンジで連結され、前記収納ブロックが前記収納溝の片側壁とヒンジで連結され、二つの前記収納ブロックにおいて互いに離れた側面にはいずれも駆動輪が回転できるように設置され、前記駆動輪が前後対称的に設置され、対称的に設置された二つの前記駆動輪が回転軸によって固定的に連結され、前記大型スライダの中には伝動空間が設置され、前記伝動空間の中には前記駆動輪の回転に動力を提供できる伝動機構が設置され、前記台座の頂面には支持柱が固定的に設置され、前記支持柱の左右両側にはいずれも汚れを落とせる掃除機構が設置され、前記掃除機構は回転できるように設置されたワイヤブラシを含み、前記ワイヤブラシが煙突内壁と接触し、そして擦り作業を行って煙突についた灰塵を清掃でき、前記支持柱の頂面には動力箱が固定的に設置され、前記動力箱の左右両端にはいずれも固定カバーが固定的に設置され、前記固定カバーの中にはスライダがスライドできるように設置され、二つの前記スライダにおいて互いに離れた一端にはローラが回転できるように設置され、前記ローラの外周には歯が設置され、前記動力箱の頂端には切断機構が設置され、前記切断機構が灰塵による塊を切断できる。
【０００６】
更の技術プランとしては、前記切断機構は回転できるように設置された旋転板を含み、前記旋転板の左右両端には刃ヘッドがスライドできるように設置され、前記刃ヘッドと前記旋転板とが弾力ばねで連結されている。
【０００７】
更の技術プランとしては、前記動力箱の中には動力モータが固定的に嵌め込まれ、前記動力モータの頂端は前記旋転板と動力が伝達できるように連結され、前記スライダと前記動力箱との間には第一ばねが装着され、そうすると前記ローラが煙突内壁に当接できる。
【０００８】
更の技術プランとしては、前記動力箱の底端には矩形カバーが固定的に設置され、前記矩形カバーの中にはスライド空間が設置され、前記スライド空間の中にはスライド板がスライドできるように設置され、前記スライド空間の頂壁の中には収納モータが固定的に嵌め込まれ、前記収納モータの底端にはネジロッド軸が回転できるように設置され、前記ネジロッド軸と前記スライド板とがネジ山で連結され、前記スライド板の中には矩形スライドカバーが固定的に設置され、前記矩形スライドカバーが前記支持柱とスライドできるように連結されている。
【０００９】
更の技術プランとしては、前記支持柱の左右両側には長矩形ブロックが設置され、前記長矩形ブロックの中には掃除スプラインスリーブが回転できるように設置され、前記支持柱の中には矩形空間が設置され、前記矩形空間の左右両側の内壁にはいずれも掃除軸が回転できるように設置され、二つの前記掃除軸において互いに近接した一端には第一傘歯車が固定的に設置され、前記動力モータの底端には下方に伸びた動力軸が動力が伝達できるように連結され、前記動力軸の底部延伸部分が前記矩形空間を貫通し、且つ前記動力軸の底部延伸部分には第二傘歯車が固定的に設置され、前記第二傘歯車が前記第一傘歯車と噛み合い、前記ワイヤブラシの一端が前記掃除スプラインスリーブの中に挿入され、また、前記ワイヤブラシと前記掃除スプラインスリーブとがスライドできるように連結され、前記ワイヤブラシと前記掃除スプラインスリーブとの間には伸縮ばねが装着され、前記矩形スライドカバーと前記長矩形ブロックとがコンロッドによって連結されている。
【００１０】
更の技術プランとしては、前記大型スライダの底端と前記大型スライド空間の底壁との間には二つの圧力ばねが装着され、前記大型スライド空間の左右両側は開口しており、前記伝動空間の頂壁の中には上下に伸びた伝動スプライン軸が回転できるように設置され、前記伝動スプライン軸の頂部延伸部分が前記動力軸の中に伸び、且つ前記動力軸とスプラインで連結され、前記伝動スプライン軸の底端には前記伝動空間の中に位置する第三傘歯車が固定的に設置されている。
【００１１】
更の技術プランとしては、前記伝動空間の中には左右に伸びた横向きスプラインスリーブが回転できるように設置され、前記横向きスプラインスリーブの外周には第四傘歯車が固定的に設置され、前記第四傘歯車が前記第三傘歯車と噛み合い、前記回転軸の外周には従動傘歯車が固定的に設置され、前記横向きスプラインスリーブの左右両端にはいずれも従動スプラインがスプラインで連結され、二つの前記従動スプラインにおいて互いに離れた一端にはいずれも伝動傘歯車が固定的に設置され、前記伝動傘歯車が前記従動傘歯車と噛み合っている。
【発明の効果】
【００１２】
本願発明の有益効果は：本願発明は刃ヘッドで煙突の内壁についた灰塵による塊を切断でき、ローラに圧迫された後、灰塵が落ちやすくなり、そしてワイヤブラシで灰塵を除去し、本願発明の掃除機構と、切断機構と、伝動機構とはいずれも同じ動力源によって駆動され、モータの数を節約でき、コストをコントロールでき、処理過程が便利で素早く、人力を省き、また、本願発明は構造が簡単で、操作が便利であり、普及する価値がある。
【図面の簡単な説明】
【００１３】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の煙突内壁専用の灰塵処理装置の内部全体構成模式図
【図２】図２は本願発明の台座の部分拡大模式図
【図３】図３は本願発明の掃除機構の部分拡大模式図
【発明を実施するための形態】
【００１５】
図１〜３を参照し、本願発明の実施例の煙突内壁専用の灰塵処理装置は、台座１０を含み、前記台座１０の中には大型スライド空間４０が設置され、前記大型スライド空間４０の中には大型スライダ４１がスライドできるように設置され、前記台座１０の左右両側にはいずれも収納溝３８が形成され、前記収納溝３８の中には収納ブロック３１がヒンジで連結され、前記収納ブロック３１が前記収納溝３８の片側壁とヒンジで連結され、二つの前記収納ブロック３１において互いに離れた側面にはいずれも駆動輪３２が回転できるように設置され、前記駆動輪３２が前後対称的に設置され、対称的に設置された二つの前記駆動輪３２が回転軸３３によって固定的に連結され、前記大型スライダ４１の中には伝動空間４６が設置され、前記伝動空間４６の中には前記駆動輪３２の回転に動力を提供できる伝動機構７１が設置され、前記台座１０の頂面には支持柱１１が固定的に設置され、前記支持柱１１の左右両側にはいずれも汚れを落とせる掃除機構７２が設置され、前記掃除機構７２は回転できるように設置されたワイヤブラシ５３を含み、前記ワイヤブラシ５３が煙突内壁と接触し、そして擦り作業を行って煙突についた灰塵を清掃でき、前記支持柱１１の頂面には動力箱１２が固定的に設置され、前記動力箱１２の左右両端にはいずれも固定カバー６０が固定的に設置され、前記固定カバー６０の中にはスライダ１８がスライドできるように設置され、二つの前記スライダ１８において互いに離れた一端にはローラ１７が回転できるように設置され、前記ローラ１７の外周には歯が設置され、前記動力箱１２の頂端には切断機構７３が設置され、前記切断機構７３が灰塵による塊を切断できる。
【００１６】
有益なまた例を示すように、前記切断機構７３は回転できるように設置された旋転板１３を含み、前記旋転板１３の左右両端には刃ヘッド１４がスライドできるように設置され、前記刃ヘッド１４と前記旋転板１３とが弾力ばね１５で連結され、前記旋転板１３の回転で前記刃ヘッド１４が駆動されて切断作業を行い、煙突についた灰塵による塊を切断して落とす。
【００１７】
有益なまた例を示すように、前記動力箱１２の中には動力モータ１６が固定的に嵌め込まれ、前記動力モータ１６の頂端は前記旋転板１３と動力が伝達できるように連結され、前記スライダ１８と前記動力箱１２との間には第一ばね１９が装着され、そうすると前記ローラ１７が煙突内壁に当接できる。
【００１８】
有益なまた例を示すように、前記動力箱１２の底端には矩形カバー２３が固定的に設置され、前記矩形カバー２３の中にはスライド空間２０が設置され、前記スライド空間２０の中にはスライド板６１がスライドできるように設置され、前記スライド空間２０の頂壁の中には収納モータ２１が固定的に嵌め込まれ、前記収納モータ２１の底端にはネジロッド軸２２が回転できるように設置され、前記ネジロッド軸２２と前記スライド板６１とがネジ山で連結され、前記スライド板６１の中には矩形スライドカバー２５が固定的に設置され、前記矩形スライドカバー２５が前記支持柱１１とスライドできるように連結されている。
【００１９】
有益なまた例を示すように、前記支持柱１１の左右両側には長矩形ブロック５５が設置され、前記長矩形ブロック５５の中には掃除スプラインスリーブ５２が回転できるように設置され、前記支持柱１１の中には矩形空間３０が設置され、前記矩形空間３０の左右両側の内壁にはいずれも掃除軸５６が回転できるように設置され、二つの前記掃除軸５６において互いに近接した一端には第一傘歯車２９が固定的に設置され、前記動力モータ１６の底端には下方に伸びた動力軸２７が動力が伝達できるように連結され、前記動力軸２７の底部延伸部分が前記矩形空間３０を貫通し、且つ前記動力軸２７の底部延伸部分には第二傘歯車２８が固定的に設置され、前記第二傘歯車２８が前記第一傘歯車２９と噛み合い、前記ワイヤブラシ５３の一端が前記掃除スプラインスリーブ５２の中に挿入され、また、前記ワイヤブラシ５３と前記掃除スプラインスリーブ５２とがスライドできるように連結され、前記ワイヤブラシ５３と前記掃除スプラインスリーブ５２との間には伸縮ばね５４が装着され、前記矩形スライドカバー２５と前記長矩形ブロック５５とがコンロッド２６によって連結され、前記動力モータ１６が作動し、前記動力軸２７を回転させ、前記第二傘歯車２８が前記第一傘歯車２９を回転連動させ、前記掃除軸５６が前記掃除スプラインスリーブ５２を回転連動させ、更に前記ワイヤブラシ５３を回転させ、そして前記ワイヤブラシ５３が除去作業を行う。
【００２０】
有益なまた例を示すように、前記大型スライダ４１の底端と前記大型スライド空間４０の底壁との間には二つの圧力ばね３９が装着され、前記大型スライド空間４０の左右両側は開口しており、前記伝動空間４６の頂壁の中には上下に伸びた伝動スプライン軸４３が回転できるように設置され、前記伝動スプライン軸４３の頂部延伸部分が前記動力軸２７の中に伸び、且つ前記動力軸２７とスプラインで連結され、前記伝動スプライン軸４３の底端には前記伝動空間４６の中に位置する第三傘歯車４４が固定的に設置されている。
【００２１】
有益なまた例を示すように、前記伝動空間４６の中には左右に伸びた横向きスプラインスリーブ４７が回転できるように設置され、前記横向きスプラインスリーブ４７の外周には第四傘歯車４５が固定的に設置され、前記第四傘歯車４５が前記第三傘歯車４４と噛み合い、前記回転軸３３の外周には従動傘歯車３４が固定的に設置され、前記横向きスプラインスリーブ４７の左右両端にはいずれも従動スプライン４８がスプラインで連結され、二つの前記従動スプライン４８において互いに離れた一端にはいずれも伝動傘歯車３５が固定的に設置され、前記伝動傘歯車３５が前記従動傘歯車３４と噛み合い、前記横向きスプラインスリーブ４７が回転することで前記伝動傘歯車３５に前記従動傘歯車３４を回転連動させ、更に前記駆動輪３２を回転させ、装置全体が行進できる。
【００２２】
使用時、まず本願発明を煙突の中に置き、駆動輪３２を煙突の内壁に密着させ、ローラ１７を煙突の内壁に密着させ、同時に刃ヘッド１４を煙突の内壁についた灰塵と接触させ、そして収納モータ２１を制御して始動し、ネジロッド軸２２を回転させ、更にスライド板６１を下降させ、そして矩形スライドカバー２５が下降し、長矩形ブロック５５が伸び出され、ワイヤブラシ５３が煙突についた灰塵と接触し、動力モータ１６が制御されて作動し、動力軸２７が回転し、伝動スプライン軸４３が回転し、第三傘歯車４４が第四傘歯車４５を回転連動させ、そして横向きスプラインスリーブ４７が回転し、従動スプライン４８が伝動傘歯車３５を回転連動させ、従動傘歯車３４が回転し、駆動輪３２が回転し、装置全体を駆動して行進させることができ、同時に動力モータ１６が旋転板１３を回転連動させ、刃ヘッド１４が煙突内壁についた灰塵による塊を切断し、ローラ１７が切断された灰塵による塊を圧迫し、灰塵による塊が落ちやすくなり、同時に動力軸２７が第二傘歯車２８を回転連動させ、更に第一傘歯車２９が掃除軸５６を回転連動させ、掃除スプラインスリーブ５２がワイヤブラシ５３を回転連動させ、そしてワイヤブラシ５３が灰塵を除去する。
【００２３】
本願発明の有益効果は：本願発明は刃ヘッドで煙突の内壁についた灰塵による塊を切断でき、ローラに圧迫された後、灰塵が落ちやすくなり、そしてワイヤブラシで灰塵を除去し、本願発明の掃除機構と、切断機構と、伝動機構とはいずれも同じ動力源によって駆動され、モータの数を節約でき、コストをコントロールでき、処理過程が便利で素早く、人力を省き、また、本願発明は構造が簡単で、操作が便利であり、普及する価値がある。
【００２４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本願発明は煙突内壁専用の灰塵処理装置を開示した。
【解決手段】
台座を含み、前記台座の中には大型スライド空間が設置され、前記大型スライド空間の中には大型スライダがスライドできるように設置され、前記台座の左右両側にはいずれも収納溝が形成され、前記収納溝の中には収納ブロックがヒンジで連結され、前記収納ブロックが前記収納溝の片側壁とヒンジで連結され、二つの前記収納ブロックにおいて互いに離れた側面にはいずれも駆動輪が回転できるように設置され、前記駆動輪が前後対称的に設置され、本願発明は刃ヘッドで煙突の内壁についた灰塵による塊を切断でき、ローラに圧迫された後、灰塵が落ちやすくなり、そしてワイヤブラシで灰塵を除去できる。
【選択図】図１【図１】
0006811364.tif 000002
【図２】
0006811364.tif 000003
【図３】
0006811364.tif 000004